(57)【要約】【課題】べら針を用いてコンパウンドニードルと同様に給糸を伴わずに編目の割増やしを行うことができる編目の割増やし方法を提供する。【解決手段】編目ｆｂをフック内で掛止している前針床のべら針ＦＢを、その編目ｆｂがべらを越えてフック外に移動するまで進出させるとともに、これと対向する後針床のべら針ＢＡを進出させ、当該べら針ＢＡのフックに編目ｆｂ１を掛止する。その後、前後の針床のべら針ＦＢ，ＢＡを退入させる際に、編目ｆｂ１をフックに掛止した後針床のべら針ＢＡを退入位置まで退入させる一方、前針床のべら針ＦＢの退入に伴い移動する編目ｆｂがべらを越えずにフック外で掛止された状態に保たれるように当該べら針ＦＢの退入を途中位置で停止させて編目ｆｂを割り増やしする。しかる後、途中位置からべら針ＦＢを進出させるとともに後針床の空針ＢＺを進出させてべら針ＦＢのフック外の編目ｆｂを後針床の空針ＢＺに目移しする動作を継続して行う。【選択図】図２
2012077418.tif 000002
【特許請求の範囲】
【請求項１】
べらが揺動して開閉されるフックを備えた複数のべら針を進退摺動可能に設けた針床がその歯口部分を近接させた状態で少なくとも前後一対設けられ、上記前後の針床が左右に相対移動可能に構成された横編機を用いて、前後の針床のうちのいずれか一方の針床のべら針に掛止された編目を、他方の針床のべら針を進出させて当該べら針のフックに掛止することにより割増やしする編目の割増やし方法であって、
フック内で編目を掛止している上記一方の針床のべら針を、上記編目がべらを越えて上記フック外に移動するまで進出させるとともに、上記他方の針床のべら針を進出させて当該べら針のフックに上記一方の針床のべら針のフック外に移動した編目を掛止し、
その後、上記前後の針床のべら針を退入させる際に、上記他方の針床のべら針のフックに編目を掛止したまま当該べら針を退入位置まで退入させる一方、上記一方の針床のべら針の退入に伴い移動する編目がそのべら針に対しべらを越えずにフック外で掛止された状態に保たれるように当該べら針の退入を途中位置で停止させることで、上記前後の針床のべら針に編目をそれぞれ掛止させて割り増やしし、
しかる後、上記一方の針床のべら針を途中位置から進出させて当該べら針のフック外で掛止している編目の編成動作を継続して行うことを特徴とする編目の割増やし方法。
【請求項２】
上記編成動作としては、上記一方の針床のべら針を途中位置から進出させた際に上記他方の針床の空針を進出させて、上記一方の針床のべら針のフック外で掛止している編目を上記他方の針床の空針に掛止して目移しする動作が適用されている請求項１に記載の編目の割増やし方法。
【請求項３】
上記編成動作としては、上記一方の針床のべら針を途中位置から進出させた際に新たに編糸を給糸してから当該べら針を退入させて、上記編糸をフックに掛止するとともに、そのべら針のフック外で掛止されていた編目をノックオーバさせ、そのノックオーバさせた編目に続く新たな編目をフックに形成する動作が適用されている請求項１に記載の編目の割増やし方法。
【発明の詳細な説明】
【技術分野】
【０００１】
本発明は、編地の編成途中において編目の割増やしを行うための割増やし方法に関する。
【背景技術】
【０００２】
従来より、べらが揺動して開閉されるフックを備えた複数のべら針を進退摺動可能に設けた針床がその歯口部分を近接させた状態で少なくとも前後一対設けられ、上記前後の針床が左右に相対移動可能に構成された横編機は知られている。このような横編機を用いると、前後の針床のうちのいずれか一方の針床のべら針に掛止された編目を、他方の針床のべら針を進出させて当該べら針のフックに掛止し、同時に上記一方の針床のべら針のフックに給糸を受け両針床のべら針を退入させることで、編目の割り増やしが行える（例えば、特許文献１参照）。
【０００３】
また、スライダの摺動により開閉されるフックを有する複数のコンパウンドニードルを備えた横編機もある。このような横編機では、前後の針床のうちのいずれか一方の針床のコンパウンドニードルのフックに掛止された編目を、他方の針床のコンパウンドニードルの進出とともに当該コンパウンドニードルのスライダを操作してフックに掛止することにより、給糸を伴うことなく編目の割り増やしが行える（例えば、特許文献２参照）。
【先行技術文献】
【特許文献】
【０００４】
【特許文献１】ＷＯ２００７／１１９２７２ Ａ１ 公報
【特許文献２】特開平３−２７９４４８号公報
【発明の開示】
【発明が解決しようとする課題】
【０００５】
ところが、上記従来の双方のものでは、互いの編針の構造が異なるため、編目を割増やしする際の給糸の有り無しによって出来上がった編地がそれぞれ異なったものとなってしまう。
【０００６】
本発明は、かかる点に鑑みてなされたものであり、その目的とするところは、べら針を用いてコンパウンドニードルと同様に給糸を伴わずに編目の割増やしを行うことができる編目の割増やし方法を提供することにある。
【課題を解決するための手段】
【０００７】
上記目的を達成するため、本発明では、べらが揺動して開閉されるフックを備えた複数のべら針を進退摺動可能に設けた針床がその歯口部分を近接させた状態で少なくとも前後一対設けられ、上記前後の針床が左右に相対移動可能に構成された横編機を用いて、前後の針床のうちのいずれか一方の針床のべら針に掛止された編目を、他方の針床のべら針を進出させて当該べら針のフックに掛止することにより割増やしする編目の割増やし方法を前提とする。そして、フック内で編目を掛止している上記一方の針床のべら針を、上記編目がべらを越えて上記フック外に移動するまで進出させるとともに、上記他方の針床のべら針を進出させて当該べら針のフックに上記一方の針床のべら針のフック外に移動した編目を掛止する。その後、上記前後の針床のべら針を退入させる際に、上記他方の針床のべら針のフックに編目を掛止したまま当該べら針を退入位置まで退入させる一方、上記一方の針床のべら針の退入に伴い移動する編目がそのべら針に対しべらを越えずにフック外で掛止された状態に保たれるように当該べら針の退入を途中位置で停止させることで、上記前後の針床のべら針に編目をそれぞれ掛止させて割り増やしする。しかる後、上記一方の針床のべら針を途中位置から進出させて当該べら針のフック外で掛止している編目の編成動作を継続して行うことを特徴としている。
【０００８】
また、上記編成動作として、上記一方の針床のべら針を途中位置から進出させた際に上記他方の針床の空針を進出させて、上記一方の針床のべら針のフック外で掛止している編目を上記他方の針床の空針に掛止して目移しする動作が適用されていてもよい。
【０００９】
これに対し、上記編成動作として、上記一方の針床のべら針を途中位置から進出させた際に新たに編糸を給糸してから当該べら針を退入させて、上記編糸をフックに掛止するとともに、そのべら針のフック外で掛止されていた編目をノックオーバさせ、そのノックオーバさせた編目に続く新たな編目をフックに形成する動作が適用されていてもよい。
【発明の効果】
【００１０】
本発明に係る編目の割増やし方法によれば、他方の針床のべら針のフックに編目を割増やして一方の針床のべら針のフック外で掛止される編目が、その一方の針床のべら針の退入に伴い進出側に相対移動してもべらを越えずにフック外で掛止された状態に保たれるように、一方の針床のべら針の退入を途中位置で停止させることで、べら針を用いてコンパウンドニードルと同様に給糸を伴わずに編目の割増やしを行うことができる。
【００１１】
また、一方の針床のべら針を途中位置から進出させた際に他方の針床の空針を進出させることで、一方の針床のべら針のフック外で掛止している編目を他方の針床の空針に掛止して目移しする動作を割増やし動作に継続して行うことができる。
【００１２】
これに対し、一方のべら針を途中位置から進出させた際に新たに給糸口から編糸が給糸されてから当該べら針を退入させることで、新たに給糸された編糸をべら針のフックに掛止するとともに、そのべら針のフック外で掛止されていた編目をノックオーバさせ、そのノックオーバさせた編目に続く新たな編目をフックに形成する動作を割増やし動作に続けて行うことができる。
【図面の簡単な説明】
【００１３】
【図１】本発明の第１の実施の形態に係るべら針の構成を示す側面図である。
【図２】本発明の第１の実施の形態に係る編目の割増やし動作及びこれに続く目移し動作を示す説明図である。
【図３】図１のべら針による編目の割増やし状態を示す斜視図である。
【図４】本発明の第２の実施の形態に係る編目の割増やし動作に続く目移し動作を示す説明図である。
【図５】本発明の第３の実施の形態に係る編目の割増やし動作に続く新たな編目の形成動作を示す説明図である。
【発明を実施するための形態】
【００１４】
以下、本発明の第１の実施の形態に係る編目の割増やし方法において用いられるべら針を図面に基づいて説明する。
【００１５】
図１はべら針１の構成を示す側面図、図２は編目の割増やし動作及びこれに続く目移し動作を示す説明図、図３はべら針１による編目の割増やし状態を示す斜視図をそれぞれ示している。
【００１６】
べら針１は、図示しない横編機の前後の針床に多数列設されている。この前後の針床は、その歯口部分を近接させた状態でハの字形に設けられ、左右に相対移動可能に構成された周知構造の横編機に備えられている。また、前後の針床には、各べら針１を歯口に対し進退する方向に進退摺動可能に収容する針溝が並設されている。
【００１７】
また、べら針１は、歯口に臨む先端側の針本体１１に編目を掛止するフック１２と、このフック１２を開閉するべら１３とを備えた一般的なべら針である。針本体１１には、その基端側にニードルジャック１４が連結され、一側方に羽根１５が付加されている。このニードルジャック１４には、前バット１７及び後バット（図示せず）が間隔を空けて設けられている。
【００１８】
次に、本発明の割増やし方法により前針床のべら針に掛止されている編目を後針床のべら針に割り増やしする割増やし動作及びこれに続く目移し動作を図２のステップＳ１〜Ｓ８に基づいて詳細に説明する。この場合、前針床の各べら針ＦＡ〜ＦＥ及び後針床の各べら針ＢＡ（ＢＺ）〜ＢＥを用いて説明する。
【００１９】
まず、Ｓ１で、前針床の各べら針ＦＡ〜ＦＤに編目ｆａ〜ｆｄを掛止し、Ｓ２で、渡し針となるべら針ＦＣ，ＦＤをキャリッジ内の複数のカムによって形成される軌道に応じて歯口側に進出（以下、単にべら針の進出という）させる。このとき、べら針ＦＣ，ＦＤのフック１２に掛止されていた編目ｆｃ，ｆｄは、その進出するべら針ＦＣ，ＦＤに対し相対的に退入し、それぞれべら１３を退入側へ揺動させてフック１２を開放し、針幹に沿って羽根１５の位置まで移動する。また、対向する後針床から受け針となるべら針ＢＣ，ＢＤを進出させ、当該べら針ＢＣ，ＢＤのフック１２をべら針ＦＣ，ＦＤ（渡し針）の羽根１５に挿入させる。その後、前後の針床の各べら針ＦＣ，ＦＤ，ＢＣ，ＢＤをキャリッジ内の各カムによる軌道に応じてそれぞれ歯口側から退入（以下、単にべら針の退入という）させることで、後針床のべら針ＢＣ，ＢＤへの編目ｆｃ，ｆｄの目移しが完了する。この目移しにより、べら針ＦＣ，ＦＤが空針となる。
【００２０】
Ｓ３で、後針床を右側（図２に白抜き矢印で示す方向）に１ピッチ分（１針分）ラッキングさせてから、Ｓ４で、後針床のべら針ＢＣ，ＢＤの編目ｆｃ，ｆｄを前針床のべら針ＦＤ，ＦＥに同様の手順で目移し、前針床のべら針ＦＣを空針としておく。
【００２１】
Ｓ５で、前針床のべら針ＦＢとこれに対向する後針床のべら針ＢＡとをそれぞれ進出させ、この進出するべら針ＢＡに対し相対的に退入する編目ｆｂがフック１２内から針幹に沿って羽根１５の位置まで移動し、この編目ｆｂに後針床のべら針ＢＡのフック１２を挿入して掛止させる。それから、べら針ＦＢ，ＢＡをそれぞれ退入させる。このとき、後針床のべら針ＢＡは退入し終えるものの、前針床のべら針ＦＢの退入は、この退入するべら針ＦＢに対し相対的に進出する編目ｆｂがべら１３を越えずにフック１２外（例えば、図３に示すような閉じたべら１３に載った位置）で掛止された状態に保たれるように途中位置で停止する。これによって、前針床のべら針ＦＢの編目ｆｂが、後針床のべら針ＢＡの編目ｆｂ１として割増やされる。この場合、前針床のべら針ＦＢの途中位置での退入の停止は、キャリッジ内の各カムによって前バット１７又は後バットが通常の目移し用の軌道とは異なる軌道へ案内されることによって行われる。
【００２２】
Ｓ６で、後針床を右側（図２に白抜き矢印で示す方向）にさらに１ピッチ分（１針分）ラッキングさせ、Ｓ５で退入を途中位置で停止させていた前針床のべら針ＦＢに、空針となる後針床のべら針ＢＺを対向させる。次いで、前針床のべら針ＦＢをその途中位置から進出させるとともに、後針床のべら針ＢＺを進出させる。その後、前後の針床のべら針ＦＢ，ＢＺをそれぞれ退入させることで、べら針ＦＢのフック１２外で掛止する編目ｆｂを後針床のべら針ＢＺ（空針）に目移しする。その後、Ｓ７で、後針床のべら針ＢＺ，ＢＡ及び前針床のべら針ＦＢ，ＦＣをそれぞれ進出させ、この進出するべら針ＦＢ，ＦＣに対し相対的に退入する編目ｆｂ，ｆｂ１をフック１２内から針幹に沿って羽根１５の位置まで移動させる。そして、羽根１５の位置まで移動した編目ｆｂ，ｆｂ１を前針床のべら針ＦＢ，ＦＣのフック１２に掛止し、後針床のべら針ＢＺ，ＢＡ及び前針床のべら針ＦＢ，ＦＣをそれぞれ退入させることで、後針床のべら針ＦＢ，ＦＣへの編目ｆｂ，ｆｂ１の目移しが完了する。それから、後針床を左側（図２に白抜き矢印で示す方向）に２ピッチ分（２針分）ラッキングさせて元に戻す。なお、後針床のべら針ＦＢ，ＦＣへの編目ｆｂ，ｆｂ１の目移しが、２つの編目を同時にではなく１つの編目ずつ個別に目移しされるようにしてもよい。
【００２３】
Ｓ８で、編糸を給糸し、前針床のべら針ＦＡ，ＦＣ〜ＦＥに掛止されている編目ｆａ，ｆｂ１，ｆｃ，ｆｄに続く新たな編目ｆａ２〜ｆｄ２を形成する。
【００２４】
本実施の形態では、編目ｆｂが前針床のべら針ＦＢのべら１３を越えずにフック１２外で掛止された状態に保たれるように当該べら針ＦＢの退入を途中位置で停止させることで、べら針を用いてコンパウンドニードルと同様に給糸を伴わずに編目ｆｂの割増やしを行うことができる。
【００２５】
また、前針床のべら針ＦＢを途中位置から進出させるとともに、これと対向する後針床のべら針ＢＺ（空針）を進出させることで、前針床のべら針ＦＢのフック１２外で掛止していた編目ｆｂを後針床のべら針ＢＺに目移しする動作を割増やし動作に継続して行うことができる。
【００２６】
次に、本発明の第２の実施の形態を図４に基づいて説明する。
図４は本発明の割増やし方法による編目の割増やし動作に続く目移し動作を示す説明図である。この実施の形態では、後針床のべら針に掛止されている編目を前針床のべら針に割り増やしするようにしている。なお、本実施の形態では、上記第１の実施の形態で述べた図２のＳ１〜Ｓ４の説明と重複するので、このＳ１〜Ｓ４に続くＳ５以降の流れについてのみ説明する。
【００２７】
すなわち、図２のＳ１〜Ｓ４に続く図４のＳ５で、渡し針となるべら針ＦＢを歯口へ進出させるとともに、これと対向する後針床から受け針となるべら針ＢＡを進出させる。このとき、べら針ＦＢのフック１２に掛止されていた編目ｆｂは、フック１２を開放させて羽根１５の位置まで相対的に退入し、べら針ＢＡのフック１２に目移しされる。
【００２８】
Ｓ６で、後針床のべら針ＢＡとこれに対向する前針床のべら針ＦＢとをそれぞれ進出させ、その進出するべら針ＢＡに対し相対的に羽根１５の位置まで退入した編目ｆｂに、前針床のべら針ＦＢのフック１２を掛止させる。それから、べら針ＢＡ，ＦＢをそれぞれ退入させる。このとき、前針床のべら針ＦＢは退入し終えるのに対し、後針床のべら針ＢＡの退入は、この退入するべら針ＢＡに対し相対的に進出する編目ｆｂがべら１３を越えずにフック１２外で掛止された状態に保たれるように途中位置で停止する。これによって、後針床のべら針ＢＡの編目ｆｂが、前針床のべら針ＦＢの編目ｆｂ１として割増やされる。
【００２９】
Ｓ７で、後針床を右側（図４に白抜き矢印で示す方向）にさらに１ピッチ分（１針分）ラッキングさせ、Ｓ６で退入を途中位置で停止させていた後針床のべら針ＢＡに、空針となる前針床のべら針ＦＣを対向させる。次いで、後針床のべら針ＢＡをその途中位置から進出させるとともに、前針床のべら針ＦＣを進出させる。その後、前後の針床のべら針ＦＣ，ＢＡをそれぞれ退入させることで、べら針ＢＡのフック１２外で掛止する編目ｆｂを前針床のべら針ＦＣ（空針）へ目移しする。
【００３０】
Ｓ８で、後針床を左側（図４に白抜き矢印で示す方向）に２ピッチ分（２針分）ラッキングさせて元に戻す。その後、編糸を給糸し、前針床のべら針ＦＡ，ＦＣ〜ＦＥに掛止されている編目ｆａ〜ｆｄに続く新たな編目ｆａ２〜ｆｄ２を形成する。
【００３１】
本実施の形態においても、編目ｆｂが後針床のべら針ＢＡのべら１３を越えずにフック１２外で掛止された状態に保たれるように当該べら針ＢＡの退入を途中位置で停止させることで、べら針を用いて給糸を伴わずに編目ｆｂの割増やしを行うことができる。
【００３２】
また、後針床のべら針ＢＡを途中位置から進出させるとともに、これと対向する前針床のべら針ＦＣ（空針）を進出させることで、後針床のべら針ＢＡのフック１２外で掛止していた編目ｆｂを前針床のべら針ＢＡに目移しする動作を割増やし動作に続けて行うことができる。
【００３３】
次に、本発明の第３の実施の形態を図５に基づいて説明する。
図５は本発明の割増やし方法による編目の割増やし動作に続けてフック外の編目に新たな編目を形成する動作を行う場合の説明図である。この実施の形態では、割り増やし動作に続けてフック外の編目に新たな編目を形成する動作を行うようにしている。なお、本実施の形態では、上記第１の実施の形態で述べた図２のＳ１〜Ｓ５の説明と重複するので、このＳ１〜Ｓ５に続くＳ６以降の流れについてのみ説明する。
【００３４】
すなわち、図２のＳ１〜Ｓ５に続く図５のＳ６で、後針床を右側（図５に白抜き矢印で示す方向）に１ピッチ分（１針分）ラッキングさせ、前針床のべら針ＦＢから割増やした編目ｆｂ１を掛止している後針床のべら針ＢＡに、空針となる前針床のべら針ＦＣを対向させる。次いで、Ｓ７で、後針床のべら針ＢＡ及び前針床のべら針ＦＣを進出させた後に、前後の針床のべら針ＦＣ，ＢＡをそれぞれ退入させることで、前針床のべら針ＦＣ（空針）に編目ｆｂ１を目移しする。
【００３５】
その後、Ｓ８で、後針床を左側（図４に白抜き矢印で示す方向）に２ピッチ分（２針分）ラッキングさせて元に戻す。それから、編目ｆｂをフック１２外で掛止していた前針床のべら針ＦＢを途中位置から進出させる。そして、新たに給糸口から編糸を給糸し、前針床のべら針ＦＢを退入させると、新たに給糸口から給糸された編糸がフック１２で掛止されるとともに、退入するべら針ＦＢに対し相対的に進出する編目ｆｂがべら１３を前方へ揺動させてフック１２を閉塞し、編目ｆｂがノックオーバされる。そして、ノックオーバされた編目ｆｂに続く新たな編目ｆｂ２がフック１２に掛止した編目（新たに給糸した編糸）によって形成される。
【００３６】
本実施の形態においても、編目ｆｂが前針床のべら針ＦＢのべら１３を越えずにフック１２外で掛止された状態に保たれるように当該べら針ＦＢの退入を途中位置で停止させることで、べら針を用いて給糸を伴わずに編目ｆｂの割増やしを行うことができる。
【００３７】
また、前針床のべら針ＦＢを途中位置から進出させた際に新たに給糸口から編糸が給糸されてから当該べら針ＦＢを退入させることで、給糸口から給糸された編糸をべら針ＦＢのフック１２に掛止するとともに、そのべら針ＦＢのフック１２外で掛止されていた編目ｆｂをノックオーバさせ、そのノックオーバさせた編目ｆｂに続く新たな編目ｆｂ２をフック１２に掛止された編目（編糸）により形成する動作を割増やし動作に続けて行うことができる。
【００３８】
なお、本発明は、上記各実施の形態に限定されるものではなく、本発明の主旨に逸脱しない範囲において実施可能である。
【符号の説明】
【００３９】
１， ＦＡ〜ＦＥ，ＢＡ（ＢＺ）〜ＢＥ    べら針
１２    フック
１３    べら
ｆｂ    編目
【図１】
2012077418.tif 000003
【図２】
2012077418.tif 000004
【図３】
2012077418.tif 000005
【図４】
2012077418.tif 000006
【図５】
2012077418.tif 000007